(57)【要約】【課題】  電源と使用機器間を接続するケーブルは収納するに適する場所を確保するのが難しく束ねておくことが一般的に多いが、電源をケースなどに保管する時にこの束ねたケーブルが邪魔になり収納しづらくなっている。ケーブルの最適な収納場所を作ることにより電源の収納性を高める。【解決手段】  電源の周りにケーブルを巻きつける構造とし、ケーブルは巻きつけられた形状を保持するカールコードとすることにより、使用時にはカールコードを伸ばし、収納状態ではカールコードが形図けられた形状に戻すことにより電源の外周部に収納させることでコンパクトに収納させる。【選択図】  図１
2007135272.tif 000002
【特許請求の範囲】
【請求項１】
電源本体と、電源出力を供給する機器との間を繋ぐ電源ケーブルを持つ電源供給装置において、電源本体の外観部に電源ケーブルを巻きつける構造とし、電源ケーブルは電源外周部に巻きつけられた形状に戻るようカールを施された電源ケーブルとしたことを特徴とする電源供給装置。
【請求項２】
請求項１に記載の電源供給装置において、電源ケーブルは電源外周部への巻き付け時電源プラグ部を固定する機構を有することを特徴とする電源供給装置。
【請求項３】
電源本体に電気を供給するためのコンセントと電源間を繋ぐＡＣケーブルを持つ電源供給装置において、電源ケーブルと同様に電源外観部にＡＣケーブルを巻きつける構造とし、ＡＣコードは電源外周部に巻きつけられた形状に戻るようカールを施されたＡＣケーブルとしたことを特徴とする電源供給装置。
【請求項４】
請求項３の電源供給装置において、ＡＣケーブルを電源外周部へ巻き付けする場合にＡＣプラグ部を固定する機構を有することを特徴とする電源供給装置。
【請求項５】
電源本体と電源出力を供給する機器との間を繋ぐ電源ケーブルを持つ電源供給装置において、電源本体の外観部に電源ケーブルを巻きつける機構を有し、電源ケーブルを電源外周部に巻きつけられた状態にできることを特徴とする電源供給装置。
【請求項６】
電源本体に電気を供給するためのコンセントと電源間を繋ぐＡＣケーブルを持つ電源供給装置において、電源ケーブルと同様に電源外観部にＡＣケーブルを巻きつける機構を有し、ＡＣコードを電源外周部に巻きつけられた状態にできることを特徴とする電源供給装置。
【発明の詳細な説明】
【技術分野】
【０００１】
本発明は、電源装置における、ケーブル収納機構に関するものである。
【背景技術】
【０００２】
従来技術ではケーブル部を収納する収納スペースを設け、その中に収納したり、ケーブルを束ね紐などで縛ることにより保管しやすい形態となるようしていた。収納スペースを設けた場合には収納のスペースを設けたことによる電源形状の大型化収納作業の煩雑さの問題があった。ケーブルを束ねる場合にも束ねる作業の煩雑さと、ケーブルの剛性により密着して束ねることが難しくどうしても収納形態が大きくなってしまうなどの問題が生じていた。例えば、特開平5-91174号公報を参照。
【特許文献１】特開平5-91174号公報
【発明の開示】
【発明が解決しようとする課題】
【０００３】
上記従来例では、ケーブルの収納のために専用の収納部を設けたり、ケーブルを束ねるなどして収納していたが、収納作業が煩雑であるのと、収納部の追加及び収納形態により電源の形状が大きくなってしまうなどの問題が生じていた。
【０００４】
形状を大きくすること無くケーブルの収納部を確保すると共に収納作業を簡便化することで使い勝手を向上させようとするものである。
【課題を解決するための手段】
【０００５】
上記目的を達成するために、本出願に係わる第１の発明は、電源と電源を供給する機器間を繋ぐ電源ケーブルを電源外周部に巻きつける構造とすることにより電源ケーブルを収納させるスペースを新たに設ける必要が無くなるのと、電源ケーブルを収納状態に形付けたカールを施された物とすることで、ケーブルが形付けられた形状に戻る力を利用し収納させることを特徴とするものである。
【０００６】
第２の発明は、電源ケーブルの先端にある電源プラグ部を固定する機構を追加することで、電源ケーブル収納時の収納状態の保持を確実にさせることを特徴とするものである。
【０００７】
第３の発明は、電源ケーブルと同様に、電源に電気を供給するためのコンセントと電源間を繋ぐＡＣケーブルを電源外周部に巻きつける構造とすることにより、ＡＣケーブルを収納させるスペースを新たに設ける必要が無くなるのと、電源ケーブルを収納状態に形付けられたカールを施された物とすることで、ケーブルが形付けられた形状に戻る力を利用し収納させることを特徴とするものである。
【０００８】
第４の発明は、ＡＣケーブルの先端にあるＡＣプラグ部を固定する機構を追加することで、電源ケーブル収納時の収納状態の保持を確実にさせることを特徴とするものである。
【０００９】
第５の発明は、カールされた電源ケーブルでなくとも電源外周部に巻き付けが可能となるよう巻きつけ機構を有することを特徴とするものである。
【００１０】
第６の発明は、カールされたＡＣケーブルでなくとも電源外周部に巻き付けが可能となるよう巻きつけ機構を有することを特徴とするものである。
【発明の効果】
【００１１】
以上説明したように、本出願に係る第１の発明によれば、電源ケーブルの収納場所を電源外周部とし、電源使用時には電源ケーブルを引き出して使用することで使用時の電源形状を小さくすることができ無駄なスペースが生じない。また、電源使用後の電源ケーブル収納においては収納状態に形付けられたカールコードの元の形に戻ろうとする力を利用し収納することが可能となる。
【００１２】
本出願に係る第２の発明によれば、電源ケーブルを電源外周部への収納状態において端部にあるＤＣプラグを電源に固定する機構を設けることにより電源ケーブルを確実に固定することが可能となる。
【００１３】
第３の発明によれば、電源ケーブルと同様に、ＡＣケーブルの収納場所を電源外周部とし、電源使用時にはＡＣケーブルを引き出して使用することで使用時の電源形状を小さくすることができ無駄なスペースが生じない。また、電源使用後のＡＣケーブル収納においては、収納状態に形付けられたカールコードの元の形に戻ろうとする力を利用し収納することが可能となる。
【００１４】
本出願に係る第４の発明によれば、電源ケーブルと同様に、ＡＣケーブルを電源外周部への収納状態において端部にあるＡＣプラグを電源に固定する機構を設けることによりＡＣケーブルを確実に固定することが可能となる。
【００１５】
本出願に係る第５の発明によれば、電源ケーブル巻き取り機構を有することで電源ケーブルをカールコードとする事無く電源外周部に収納させることが可能となる。
【００１６】
本出願に係る第６の発明によれば、電ＡＣケーブル巻き取り機構を有することでＡＣケーブルをカールコードとする事無く電源外周部に収納させることが可能となる。
【発明を実施するための最良の形態】
【００１７】
次に、本発明の詳細を実施例の記述に従って説明する。
【００１８】
（第一の実施例）
図１は第一の実施例の収納状態を示す図で、１は電気回路などを内蔵した電源本体、１−１は電源本体１の一部でＤＣケーブルを巻き付けるＤＣケーブル巻き付け部、１−３は電源本体１の一部でＡＣケーブルを巻き付けるＡＣケーブル巻き付け部、２は電源本体１より駆動機器へ電源を供給するＤＣケーブル、２−１はＤＣケーブル２のＤＣカールコード部、２−２は駆動機器へ電源を供給するためのＤＣプラグ、３は家庭内の電源コンセントより電源本体１へ電力を供給するＡＣケーブル、３−１はＡＣケーブルのＡＣカールコード部、３−２は家庭内の電源コンセントに接続するためのＡＣプラグである。
【００１９】
図２は第一の実施例の使用状態を示す図で、２−３はＤＣプラグ２−２より突出し駆動機器と電気的に接続されるＤＣ端子、３−３はＡＣプラグより突出し電源コンセントと電気的に接触するＡＣ端子である。
【００２０】
図３は第一の実施例の収納状態図におけるＡ−Ａ断面図で、１−２はＤＣ端子２−３と勘合しＤＣプラグ２−２を固定するためにＤＣケーブル巻きつけ部１−１の端部に設けられたＤＣプラグクランプである。
【００２１】
図４は第一の実施例の収納状態図におけるＢ−Ｂ断面で１−４はＡＣ端子３−３と勘合しＡＣプラグ３−２と勘合を固定するためにＡＣケーブル巻き付け部１−３の端部に設けられたＡＣプラグクランプである。
【００２２】
収納時には、電源本体１に接続されたＤＣケーブル２はＤＣカールコード部２−１をＤＣケーブル巻き付け部１−１の外周に巻きつけ、先端にあるＤＣプラグ２−２のＤＣ端子２−３がＤＣプラグクランプ１−４に軽圧入で固定されることで解けることなく電源本体１に保持される。電源本体１に接続されたＡＣケーブル３もＡＣカールコード部３−１をＡＣケーブル巻き付け部１−３の外周部に巻き付け、先端にあるＡＣプラグ３−２のＡＣ端子３−３がＡＣプラグクランプ１−４に軽圧入で固定されることで解けることなく電源本体１に保持される。
【００２３】
使用時においては、ＤＣケーブルクランプ１−２よりＤＣプラグ２−２のＤＣ端子２−３を抜きＤＣカールコード部２−１を伸ばして駆動機器のＤＣジャックへＤＣプラグ２−２を接続する。ＡＣケーブル３側も同じようにＡＣクランプ１−４よりＡＣプラグ３−２のＡＣ端子３−３を抜きＡＣカールコード部３−１部を伸ばしてＡＣプラグ３−２をコンセントへ差し込む。ＡＣプラグ３−２より供給された電力はＡＣカールコード部３−１を通して電源本体１に供給され、内部の電気回路により駆動機器に適する直流電力に変換された後、ＤＣカールコード部２−１を介してＤＣプラグ２−２より駆動機器へ電源を供給する。
【００２４】
使用後は、ＤＣプラグ２−２を駆動機器より外しＤＣカールコード部２−１の元の形状に戻ろうとする力を使いＤＣケーブル巻きつけ部１−１外周部に巻き付けさせＤＣプラグ２−２のＤＣ端子２−３をＤＣプラグクランプ１−２に差し込むことで固定する。ＡＣケーブル３においても、ＡＣプラグ３−２をコンセントより外しＡＣカールコード部の元の形状に戻ろうとする力を使いＡＣケーブル巻き付け部１−３の外周部に巻き付けさせＡＣプラグ３−２のＡＣ端子３−３をＡＣプラグクランプ１−４へ差し込むことで固定する。
【００２５】
（第二の実施例）
図５は第二の実施例の収納状態を示す図で、１は電気回路などを内蔵した電源本体、１−１は電源本体１の一部でＤＣケーブルを巻き付けるＤＣケーブル巻き付け部、１−５は家庭内の電源コンセントに差込む電気的に接触するＡＣ端子、２は電源本体１より駆動機器へ電源を供給するＤＣケーブル、２−２は駆動機器へ電源を供給するためのＤＣプラグ、２−４はＤＣケーブル２のＤＣコード部、４はＤＣケーブルを収納させる巻き付けガイドである。
【００２６】
図６は第二の実施例の使用状態を示す図である。
【００２７】
図７は第二の実施例の収納状態図におけるＣ−Ｃ断面図で、１−６は電源本体１の端部にＤＣコード部２−４の断面形状と同じ形を持つ突起を螺旋状に設けた巻き付け雄ネジ、４−１は巻き付けガイド４の内面にＤＣコード部２−４の断面形状と同じ形を持つ凹みを螺旋形状に設けた巻き付け雌ネジである。
【００２８】
図８は第二の実施例の収納状態図におけるＤ−Ｄ断面図である。
【００２９】
収納時には、巻き付けガイド４が電源本体１のＤＣケーブル巻き付け部１−１を覆う位置にあり、電源本体１に接続されたＤＣケーブル２はＤＣコード部２−４を巻き付けガイド４の巻き付け雌ネジ４−１の溝に沿ってＤＣケーブル巻き付け部１−１の外周に螺旋状に収納されている。
【００３０】
使用時には、巻き付けガイド４をＦ方向に回転させることにより、螺旋形状の突起と凹みで勘合された巻き付け雄ネジ１−６と巻き付け雌ネジ４−１がネジの働きをし、巻き付けガイドをＧ方向に移動することでＤＣケーブル巻き付け部１−１を露出させる。ＤＣコード部２−４の覆いがなくなることでＤＣケーブル２を伸ばすことが可能となりＤＣプラグ２−２を駆動機器のＤＣジャックへ刺す事ができるようになる。電源本体１のＡＣ端子１−５をコンセントに差込むことで電力の供給を受け、電源本体１内部の電気回路により駆動機器に適する直流電力に変換した後、ＤＣコード部２−４を介してＤＣプラグ２−２より駆動機器へ電源を供給する。
【００３１】
使用後は、駆動機器よりＤＣプラグ２−２を外し、巻き付けガイド４をＨ方向に回転させることにより雄ネジ１−６と巻き付け雌ネジ４−１によるネジの働きで巻き付けガイドがＪ方向に移動する。巻き付けガイド４の回転しながらの移動により巻き付け雄ネジの溝に合わせてＤＣコード部２−４はＤＣケーブル巻き付け部１−１の外周に螺旋状に巻き付け収納される。
【図面の簡単な説明】
【００３２】
【図１】実施例１の収納状態図
【図２】実施例１の使用状態図
【図３】実施例１の収納状態Ａ−Ａ図
【図４】実施例１の収納状態Ｂ−Ｂ図
【図５】実施例２の収納状態図
【図６】実施例２の使用状態図
【図７】実施例２の収納状態Ｃ−Ｃ断面図
【図８】実施例２の収納状態Ｄ−Ｄ断面図
【符号の説明】
【００３３】
１  電源本体
１−１  ＤＣケーブル巻き付け部
１−２  ＤＣプラグクランプ
１−３  ＡＣケーブル巻き付け部
１−４  ＡＣプラグクランプ
１−５  ＡＣ端子
１−６  巻き付け雄ネジ
２  ＤＣケーブル
２−１  ＤＣカールコード部
２−２  ＤＣプラグ
２−３  ＤＣ端子
２−４  ＤＣコード部
３  ＡＣケーブル
３−１  ＡＣカールコード部
３−２  ＡＣプラグ
３−３  ＡＣ端子
４  巻き付けガイド
４−１  巻き付け雌ネジ
Ｆ  使用時回転方向
Ｇ  使用時移動方向
Ｈ  収納時回転方向
Ｊ  収納時移動方向
【図１】
2007135272.tif 000003
【図２】
2007135272.tif 000004
【図３】
2007135272.tif 000005
【図４】
2007135272.tif 000006
【図５】
2007135272.tif 000007
【図６】
2007135272.tif 000008
【図７】
2007135272.tif 000009
【図８】
2007135272.tif 000010